(57)【要約】【課題】  相手方に向けて周波数誤差を相殺するＯＦＤＭ信号を送信し、相手方の粗調整を省くことができるＯＦＤＭ変復調装置を提供する。【解決手段】  第１の通信機１の復調部２は、周波数誤差処理回路１１のＡＦＣ１３を用いてＯＦＤＭ信号の周波数誤差Δｆに応じた位相差Δθを算出すると共に、位相回転器１４を用いてこの位相差Δθの補正を行う構成となっている。一方、第１の通信機１の変調部１６は、復調部２のＡＦＣ１３によって演算した位相差Δθだけ予めＯＦＤＭ信号の位相をずらして、ＯＦＤＭ信号の周波数を予め周波数誤差Δｆだけ逆方向にシフトさせる。これにより、第２の通信機３１が第１の通信機１からのＯＦＤＭ信号を受信したときには、伝播路による周波数誤差Δｆが相殺され、第２の通信機は周波数誤差Δｆの影響が少ないＯＦＤＭ信号を受信することができる。【選択図】        図２
2005260705.tif 000002
【特許請求の範囲】
【請求項１】
相手方から受信したＯＦＤＭ信号を復調する復調部と、ＯＦＤＭ信号を変調して相手方に送信する変調部とからなるＯＦＤＭ変復調装置において、
前記復調部は、ＯＦＤＭ信号に生じた周波数誤差を推定する周波数誤差推定部と、該周波数誤差推定部による周波数誤差推定値を補正する周波数誤差補正部と、該周波数誤差補正部によって補正されたＯＦＤＭ信号のパケット中の各シンボル期間毎にフーリエ変換処理を行うフーリエ変換処理部とを備える構成とし、
前記変調部は、相手方との間の伝播路による周波数誤差を相殺するように、前記復調部の周波数誤差推定部による周波数誤差推定値を用いて相手方に向けて送信するＯＦＤＭ信号の周波数をシフトする周波数シフト部を備える構成としたことを特徴とするＯＦＤＭ変復調装置。
【請求項２】
前記周波数誤差推定部は、ＯＦＤＭ信号のうち各パケットに設けられた既知シンボルを用いて各パケット毎の周波数誤差を推定する自動周波数制御器によって構成し、
前記周波数シフト部は、該自動周波数制御器による周波数誤差推定値を用いて相手方に向けて送信するＯＦＤＭ信号の周波数を各パケット毎にシフトさせる構成としてなる請求項１に記載のＯＦＤＭ変復調装置。
【請求項３】
前記ＯＦＤＭ信号は、各パケット毎に短時間のショートトレーニングシンボルと該ショートトレーニングシンボルの後に設けられた長時間のロングトレーニングシンボルとからなる既知シンボルを有し、
前記自動周波数制御器は、前記ショートトレーニングシンボルを用いて周波数誤差を推定した後に、前記ロングトレーニングシンボルを用いて周波数誤差を推定する構成としてなる請求項２に記載のＯＦＤＭ変復調装置。
【請求項４】
前記相手方は、受信したＯＦＤＭ信号を復調する復調部を備え、該相手方の復調部は、ＯＦＤＭ信号中のショートトレーニングシンボルでは周波数誤差の推定を行わず、ロングトレーニングシンボルを用いて周波数誤差を推定する構成としてなる請求項３に記載のＯＦＤＭ変復調装置。
【発明の詳細な説明】
【技術分野】
【０００１】
本発明は、直交周波数分割多重（ＯＦＤＭ:Orthogonal Frequency Division Multiplex）伝送方式による無線ＬＡＮ（Local Area Network）等に用いるＯＦＤＭ変復調装置に関する。
【背景技術】
【０００２】
一般に、ＯＦＤＭ変復調装置は、相手方から受信したＯＦＤＭ信号を復調する復調部と、ＯＦＤＭ信号を変調して相手方に送信する変調部とによって構成されている。そして、従来技術によるＯＦＤＭ信号の復調部として、ＯＦＤＭ信号に生じた周波数誤差を推定して補正する自動周波数制御部と、該自動周波数制御部によって補正されたＯＦＤＭ信号のパケット中の各シンボル期間毎にフーリエ変換処理を行うフーリエ変換処理部とを備えた構成が知られている（例えば、特許文献１参照）。
【０００３】
【特許文献１】特開平１０−７５２２８号公報
【０００４】
このような従来技術では、自動周波数制御部は、ＯＦＤＭ信号のパケット（フレーム）の先頭側に設けられた既知のトレーニングシンボル（既知シンボル）を用いて周波数誤差を推定し、信号処理によってこの周波数誤差に応じた位相回転を行う構成となっていた。このとき、ＯＦＤＭ信号のパケット先頭には短時間のショートトレーニングシンボルと長時間のロングトレーニングシンボルとが設けられているから、自動周波数制御部は、例えばショートトレーニングシンボルを用いて大きな周波数誤差を補正（調整）する粗調整を行った後に、ロングトレーニングシンボルを用いて残余の小さな周波数誤差を補正する微調整を行っていた。
【発明の開示】
【発明が解決しようとする課題】
【０００５】
ところで、空間を伝播するＯＦＤＭ信号は伝播路の特性に応じてそのローカル周波数が一般的にずれる（シフトする）から、従来技術のＯＦＤＭ変復調装置では、自動周波数制御部を用いて常に周波数誤差を補正する必要がある。このとき、自動周波数制御部は、ＯＦＤＭ信号の周波数のずれ幅が大きな場合（例えばキャリア間隔の半分程度の周波数がずれる場合）に対処するために、例えば粗調整と微調整とのように、周波数誤差の調整行程を２回行う必要があった。
【０００６】
一方、粗調整に用いるショートトレーニングシンボルは、信号エッジの検出、受信電界強度（ＲＳＳＩ：Receive Signal Strength Indicator）の計測、自動利得制御、アンテナ切換等の各種の処理にも使用されている。このため、粗調整にショートトレーニングシンボルを用いたときには、これらの処理に用いるショートトレーニングシンボルが不足する傾向があり、ＲＳＳＩの計測、自動利得制御等の処理精度が低下するという問題がある。
【０００７】
本発明は上述した従来技術の問題に鑑みなされたもので、本発明の目的は、相手方に向けて周波数誤差を相殺するＯＦＤＭ信号を送信し、相手方の粗調整を省くことができるＯＦＤＭ変復調装置を提供することにある。
【課題を解決するための手段】
【０００８】
上述した課題を解決するために、請求項１の発明は、相手方から受信したＯＦＤＭ信号を復調する復調部と、ＯＦＤＭ信号を変調して相手方に送信する変調部とからなるＯＦＤＭ変復調装置において、前記復調部は、ＯＦＤＭ信号に生じた周波数誤差を推定する周波数誤差推定部と、該周波数誤差推定部による周波数誤差推定値を補正する周波数誤差補正部と、該周波数誤差補正部によって補正されたＯＦＤＭ信号のパケット中の各シンボル期間毎にフーリエ変換処理を行うフーリエ変換処理部とを備える構成とし、前記変調部は、相手方との間の伝播路による周波数誤差を相殺するように、前記復調部の周波数誤差推定部による周波数誤差推定値を用いて相手方に向けて送信するＯＦＤＭ信号の周波数をシフトする周波数シフト部を備える構成としたことを特徴としている。
【０００９】
請求項２の発明では、前記周波数誤差推定部は、ＯＦＤＭ信号のうち各パケットに設けられた既知シンボルを用いて各パケット毎の周波数誤差を推定する自動周波数制御器によって構成し、前記周波数シフト部は、該自動周波数制御器による周波数誤差推定値を用いて相手方に向けて送信するＯＦＤＭ信号の周波数を各パケット毎にシフトさせる構成としている。
【００１０】
請求項３の発明では、前記ＯＦＤＭ信号は、各パケット毎に短時間のショートトレーニングシンボルと該ショートトレーニングシンボルの後に設けられた長時間のロングトレーニングシンボルとからなる既知シンボルを有し、前記自動周波数制御器は、前記ショートトレーニングシンボルを用いて周波数誤差を推定した後に、前記ロングトレーニングシンボルを用いて周波数誤差を推定する構成としている。
【００１１】
請求項４の発明では、前記相手方は、受信したＯＦＤＭ信号を復調する復調部を備え、該相手方の復調部は、ＯＦＤＭ信号中のショートトレーニングシンボルでは周波数誤差の推定を行わず、ロングトレーニングシンボルを用いて周波数誤差を推定する構成としている。
【発明の効果】
【００１２】
請求項１の発明によれば、変調部は復調部の周波数誤差推定部による周波数誤差推定値を用いて相手方に向けて送信するＯＦＤＭ信号の周波数をシフトする周波数シフト部を備える構成としたから、変調部はＯＦＤＭ信号の周波数をシフトさせて相手方との間の伝播路による周波数誤差を相殺することができる。これにより、相手方は伝播路による周波数誤差の影響が少ないＯＦＤＭ信号を受信することができるから、相手方の復調部では、例えば大きな周波数誤差を補正する粗調整を省くことができる。このため、粗調整用の時間をＲＳＳＩの計測、自動利得制御等の処理に用いることができ、これらの処理精度を高めることができる。
【００１３】
請求項２の発明によれば、周波数誤差推定部は、ＯＦＤＭ信号のうち各パケットに設けられた既知シンボルを用いて各パケット毎の周波数誤差を推定する自動周波数制御器によって構成し、周波数シフト部は、該自動周波数制御器による周波数誤差推定値を用いて相手方に向けて送信するＯＦＤＭ信号の周波数を各パケット毎にシフトさせる構成としたから、自動周波数制御器は、既知シンボルの相関演算等を行うことによって各パケット毎に周波数誤差を推定することができると共に、周波数シフト部は、自動周波数制御器による周波数誤差推定値だけ送信するＯＦＤＭ信号を予めシフトさせることができる。これにより、相手方で受信したＯＦＤＭ信号には伝播路による周波数誤差が加わるから、相手方は周波数誤差が相殺されたＯＦＤＭ信号を受信することができる。
【００１４】
請求項３の発明によれば、ＯＦＤＭ信号は、各パケット毎に短時間のショートトレーニングシンボルと該ショートトレーニングシンボルの後に設けられた長時間のロングトレーニングシンボルとからなる既知シンボルを有し、自動周波数制御器は、前記ショートトレーニングシンボルを用いて周波数誤差を推定した後に、前記ロングトレーニングシンボルを用いて周波数誤差を推定する構成としたから、自動周波数制御器は、ショートトレーニングシンボルを用いて大きな周波数誤差を推定する粗調整を行うことができ、ロングトレーニングシンボルを用いて小さな周波数誤差を推定する微調整を行うことができる。
【００１５】
請求項４の発明によれば、相手方の復調部は、ＯＦＤＭ信号中のショートトレーニングシンボルでは周波数誤差の推定を行わず、ロングトレーニングシンボルを用いて周波数誤差を推定する構成としている。このとき、相手方は伝播路による周波数誤差がないＯＦＤＭ信号を受信することができるから、相手方の復調部では、ショートトレーニングシンボルを用いた粗調整を省くことができ、ロングトレーニングシンボルを用いた微調整だけで十分に周波数誤差を補正することができる。また、相手方の復調部は粗調整を省くことができるから、その分の時間をＲＳＳＩの計測、自動利得制御等の処理に用いることができ、これらの処理精度を高めることができる。
【発明を実施するための最良の形態】
【００１６】
以下、本発明の実施の形態によるＯＦＤＭ変復調装置を添付図面に従って詳細に説明する。
【００１７】
図において、１は例えばアクセスポイント等をなすＯＦＤＭ変復調装置としての第１の通信機で、該通信機１は、後述するように、相手方（第２の通信機３１）から受信したＯＦＤＭ信号を復調する復調部２と、ＯＦＤＭ信号を変調して相手方に送信する変調部１６とによって大略構成されている。
【００１８】
２は通信機１の復調部で、該復調部２は、後述のＩＱ信号検波器８、Ａ／Ｄ変換器１０、ＦＦＴ回路１５等によって構成されている。ここで、ＩＱ信号検波器８の前段側にはアンテナ３から受信された高周波信号（ＲＦ信号）を増幅する低雑音増幅器４が設けられると共に、該低雑音増幅器４の後段側はミキサ５と自動利得制御器６（以下、ＡＧＣ６という）とを介してＩＱ信号検波器８に接続されている。そして、ミキサ５は局部発振器７から出力される局部発信信号ＬＯを用いて高周波信号を中間周波信号（ＩＦ信号）にダウンコンバートし、該中間周波信号はＡＧＣ６によって一定の利得に調整された後にＩＱ信号検波器８に入力される構成となっている。
【００１９】
また、ＩＱ信号検波器８は、その入力側がＡＧＣ６を介してミキサ５に接続されると共に、可変周波数発振器９に接続されており、可変周波数発振器９による発信信号Ｓoを用いて中間周波信号ＩＦを直交検波し、Ｉ信号（同相信号）とＱ信号（直交信号）とからなるベースバンドのＯＦＤＭ信号を出力している。
【００２０】
１０はＩＱ信号検波器８の出力側に接続されたＡ／Ｄ変換器で、該Ａ／Ｄ変換器１０は、ＩＱ信号検波器８から出力されるアナログ信号をなすベースバンドのＯＦＤＭ信号をディジタル信号に変換している。
【００２１】
１１はＡ／Ｄ変換器１０の出力側に接続された周波数誤差処理回路で、該周波数誤差処理回路１１は、後述のトレーニングシンボル検出器１２、ＡＦＣ１３および位相回転器１４によって大略構成されている。
【００２２】
１２はＯＦＤＭ信号のうち各パケットの先頭に設けられたトレーニングシンボルを検出するトレーニングシンボル検出器で、該トレーニングシンボル検出器１２は、図３に示すようにＯＦＤＭ信号のうち各パケットの先頭に設けられた既知シンボルとしてのショートトレーニングシンボルＳＴとロングトレーニングシンボルＬＴとを検出している。
【００２３】
１３はトレーニングシンボル検出器１２に接続された周波数誤差推定部としての自動周波数制御器（以下、ＡＦＣ１３という）で、該ＡＦＣ１３は、トレーニングシンボル検出器１２によって抽出されたショートトレーニングシンボルＳＴまたはロングトレーニングシンボルＬＴを用いて周波数誤差Δｆに対応した位相差Δθを演算（推定）している。
【００２４】
具体的には、ＡＦＣ１３に例えば周波数誤差の推定用に予め決められたショートトレーニングシンボルＳＴが入力されたときには、ＡＦＣ１３は、該ショートトレーニングシンボルＳＴを既知シンボルＳ0として記憶すると共に、該ショートトレーニングシンボルＳＴに続けて入力され該シンボルＳＴ自身を遅延させた次なるショートトレーシングシンボルＳＴを他の既知シンボルＳ1として認識する。そして、ＡＦＣ１３は、以下の数１に示すように、これら既知シンボルＳ0，Ｓ1の自己相関を演算（積分演算）すると共に、この積分値を用いて周波数誤差Δｆに対応した位相差Δθを算出する。
【００２５】
【数１】
2005260705.tif 000003
【００２６】
ＡＦＣ１３にロングトレーニングシンボルＬＴが入力されたときにも、ショートトレーニングシンボルＳＴが入力されたときと同様の手順を繰返すことによって、周波数誤差Δｆに対応した位相差Δθを算出することができる。
【００２７】
なお、ロングトレーニングシンボルＬＴを用いるときには、例えばショートトレーニングシンボルＳＴによって算出された位相差Δθを用いて、一方の既知シンボルＳ0の位相を補正（シフト）した後に、他方の既知シンボルＳ1との位相差Δθを演算してもよい。これにより、短時間のショートトレーニングシンボルＳＴを用いるときには、大きな周波数誤差Δｆに対応した粗調整用の位相差Δθを算出し、長時間のロングトレーニングシンボルＬＴを用いるときには、粗調整用の位相差Δθ（周波数誤差Δｆ）に対して残余となった微調整用の位相差Δθを算出することができる。この場合、ＡＦＣ１３は、これらの粗調整用の位相差Δθと微調整用の位相差Δθとを加算して、合計の位相差Δθを後述の位相回転器１４に向けて出力するものである。
【００２８】
１４はＡＦＣ１３による周波数誤差推定値としての位相差Δθを補正する周波数誤差補正部としての復調側の位相回転器で、該位相回転器１４は、ＯＦＤＭ信号の各シンボル（データシンボル等）に対して、その位相θを位相差Δθだけシフトさせて（ずらして）、後述のＦＦＴ回路１５に入力している。
【００２９】
具体的には、位相回転器１４は、第２の通信機３１との間の伝播路（例えばドップラーシフト等）で生じた位相差Δθを補うために、受信したＯＦＤＭ信号に正の位相差Δθが生じたときにはＯＦＤＭ信号の位相θを位相差Δθだけ減算し（θ−Δθ）、ＯＦＤＭ信号に負の位相差（−Δθ）が生じたときにはＯＦＤＭ信号の位相θを位相差Δθだけ加算する（θ＋Δθ）。これにより、位相回転器１４は、周波数誤差Δｆを補正したＯＦＤＭ信号を出力している。
【００３０】
１５は位相回転器１４の出力側に接続され位相回転器１４によって補正されたＯＦＤＭ信号のパケット中の各シンボル期間毎にフーリエ変換処理を行うフーリエ変換処理部としての高速フーリエ変換回路（以下、ＦＦＴ回路１５という）で、該ＦＦＴ回路１５は、ＯＦＤＭ信号の各パケットが複数のシンボル期間（データシンボル等）を含むのに対して、同期処理部（図示せず）から出力される同期信号を用いてベースバンドのＯＦＤＭ信号のパケット中の各シンボル期間毎にフーリエ変換処理を行っている。具体的には、同期処理部によってパケットの先頭で同期を確立した後は、内部で作られる一定間隔のトリガ信号を用いてＦＦＴ窓のタイミングを決定し、シンボル期間毎のフーリエ変換処理を行うものである。
【００３１】
そして、ＦＦＴ回路１５は、ベースバンドのＯＦＤＭ信号を周波数領域に変換すると共に、この周波数領域に変換された信号を等化器（図示せず）に向けて出力する。このとき、等化器は、周波数領域に変換されたＯＦＤＭ信号に対して、伝播路によって生じた振幅等の歪を補正（適応等化処理）する。これにより、この補正後の信号は、等化器の出力側に接続された検波回路(図示せず)を用いて各サブキャリアの変調方式に応じて検波、デマッピングされ、データ信号に復元されるものである。
【００３２】
１６はＯＦＤＭ信号を変調して相手方（第２の通信機３１）に向けて送信する変調部で、該変調部１６は、後述のＩＦＦＴ回路１７、Ｄ／Ａ変換器１８、直交変調器１９、位相回転器２３等によって構成されている。
【００３３】
１７はマッピングされたデータ信号に対して逆フーリエ変換処理を行う逆フーリエ変換処理部としての逆高速フーリエ変換回路（以下、ＩＦＦＴ回路１７という）で、該ＩＦＦＴ回路１７は、マッピング後のデータ信号を逆フーリエ変換してＯＦＤＭ信号のデータシンボルを生成すると共に、各シンボル間にガードインターバルを付加している。
【００３４】
１８は後述の変調側の位相回転器２３を介してＩＦＦＴ回路１７の出力側に接続されたＤ／Ａ変換器で、該Ｄ／Ａ変換器１８は、ＩＦＦＴ回路１７から出力されるディジタル信号をなすＯＦＤＭ信号をアナログ信号に変換している。
【００３５】
１９はＤ／Ａ変換器１８の出力側に接続された直交変調器で、該直交変調器１９は、可変周波数発振器９による発信信号Ｓoを用いてＩ信号とＱ信号からなるＯＦＤＭ信号を中間周波信号（ＩＦ信号）に直交変調している。また、直交変調器１９の出力側はミキサ２０に接続され、該ミキサ２０は、局部発振器７から出力される局部発信信号ＬＯを用いて中間周波信号を高周波信号（ＲＦ信号）にアップコンバートする。そして、ミキサ２０から出力される高周波信号は、電力増幅器２１を用いて増幅され、アンテナ２２を介して第２の通信機３１に向けて送信されるものである。
【００３６】
２３は相手方（第２の通信機３１）との間の伝播路による周波数誤差Δｆを相殺するように、ＡＦＣ１３による周波数誤差推定値（位相差Δθ）を用いて相手方に向けて送信するＯＦＤＭ信号の周波数ｆ（位相θ）をシフトする周波数シフト部としての変調側の位相回転器で、該変調側の位相回転器２３は、ＯＦＤＭ信号の各シンボル（データシンボル等）に対して、周波数誤差Δｆが作用する方向とは逆方向に向けてＯＦＤＭ信号の位相θを位相差Δθだけシフトさせて（ずらして）、Ｄ／Ａ変換器１８に入力している。
【００３７】
具体的には、位相回転器２３は、第２の通信機３１との間の伝播路で生じる位相差Δθを相殺するために、受信したＯＦＤＭ信号に正の位相差Δθが生じたときには送信するＯＦＤＭ信号の位相θを位相差Δθだけ減算し（θ−Δθ）、受信したＯＦＤＭ信号に負の位相差（−Δθ）が生じたときには送信するＯＦＤＭ信号の位相θを位相差Δθだけ加算する（θ＋Δθ）。そして、位相回転器２３から出力されたＯＦＤＭ信号は直交変調器１９によって直交変調されるから、送信されるＯＦＤＭ信号は、位相差Δθに応じた周波数誤差Δｆだけ予め決められた周波数ｆよりもシフトした周波数（ｆ±Δｆ）を有するものである。
【００３８】
３１は第１の通信機１との間でＯＦＤＭ信号を交信する例えばステーション等となす相手方としての第２の通信機で、該第２の通信機３１は、第１の通信機１の復調部２、変調部１６とほぼ同様の復調部３２、変調部３３によって構成されている。
【００３９】
但し、第２の通信機３１の復調部３２は、復調部２と異なり、周波数誤差Δｆ（位相差Δθ）の粗調整を省き、周波数誤差Δｆの補正はロングトレーニングシンボルＬＴが入力されたときだけ行う構成となっている。また、第２の通信機３１の変調部３３も、変調部１６と異なり、変調側の位相回転器が省かれ、送信用のＯＦＤＭ信号に対しては位相シフトは行わない構成となっている。
【００４０】
本実施の形態によるＯＦＤＭ変復調装置は上述のように構成されるものであり、次にその作動について説明する。
【００４１】
まず、第１の通信機１の復調動作について説明する。アンテナ３を用いて第２の通信機３１からの高周波信号を受信すると、復調部２は、ミキサ５等を用いてこの高周波信号を中間周波信号に周波数変換した後に、ＩＱ信号検波器８を用いて中間周波信号からＩ信号とＱ信号とからなるベースバンドのＯＦＤＭ信号を復調する。その後、Ａ／Ｄ変換器１０によってディジタル信号となったＯＦＤＭ信号は、その位相が周波数誤差処理回路１１を用いて伝播路による周波数誤差Δｆに対応した位相差Δθだけ補正され、ＦＦＴ回路１５に入力される。これにより、ＯＦＤＭ信号は、ＦＦＴ回路１５を用いて各シンボル期間毎にフーリエ変換処理されると共に、等化処理、デマッピング等が行われることによって、データ信号に復元される。
【００４２】
次に、第１の通信機１の変調動作について説明する。データ信号が入力されると、変調器１６は該データ信号をマッピングした後に、逆フーリエ変換、ガードインターバルの付与等を行う。その後、アナログ信号に変換されたＯＦＤＭ信号に対して、直交変調器１９を用いて直交変調を行って中間周波信号を生成すると共に、ミキサ２０を用いて中間周波信号を高周波信号にアップコンバートし、アンテナ２２を用いて第２の通信機３１に向けて送信する。
【００４３】
ここで、図１に示すように、第１，第２の通信機１，３１間の伝播路によって正の周波数誤差（＋Δｆ）が生じたときには、第１の通信機１の復調時には、復調部２は、この周波数誤差（＋Δｆ）に対応した位相差（＋Δθ）を補正してＯＦＤＭ信号からデータ信号を復調する。
【００４４】
一方、第１の通信機１の変調時には、変調部１６は、伝播路による正の周波数誤差（＋Δｆ）を相殺するように、ＯＦＤＭ信号の周波数を予め周波数の差分値（−Δｆ）だけ低下させる。これにより、第２の通信機３１が第１の通信機１によるＯＦＤＭ信号を受信したときには、第１の通信機１から送信されるＯＦＤＭ信号の周波数が予め低下しているのに対し、第２の通信機３１で受信したＯＦＤＭ信号の周波数は、伝播路の周波数誤差（＋Δｆ）によって上昇し、所定の周波数ｆに近い値となっている。このため、第２の通信機３１は、ロングトレーニングシンボルを用いた周波数誤差の補正を行うだけで、確実に第１の通信機１からのＯＦＤＭ信号を復調することができる。
【００４５】
なお、伝播路によって負の周波数誤差（−Δｆ）が生じるときも、上記と同様に、第１の通信機１の復調部２は、この周波数誤差（−Δｆ）を補正してＯＦＤＭ信号からデータ信号を復調すると共に、変調部１６は周波数誤差（−Δｆ）を相殺するように、ＯＦＤＭ信号の周波数を予め周波数の差分値（＋Δｆ）だけ上昇させた状態で、送信するものである。
【００４６】
かくして、本実施の形態では、変調部１６は復調部２のＡＦＣ１３による周波数誤差推定値（位相差Δθ）を用いて第２の通信機３１に向けて送信するＯＦＤＭ信号の周波数をシフトする位相回転器２３を備える構成としたから、変調部１６はＯＦＤＭ信号の周波数をシフトさせて第２の通信機３１との間の伝播路による周波数誤差Δｆを相殺することができる。これにより、第２の通信機３１は伝播路による周波数誤差Δｆの影響が少ないＯＦＤＭ信号を受信することができるから、第２の通信機３１の復調部３２では、例えば大きな周波数誤差を補正する粗調整を省くことができる。このため、粗調整用の時間をＲＳＳＩの計測、自動利得制御等の処理に用いることができ、これらの処理精度を高めることができる。
【００４７】
また、ＡＦＣ１３を用いてＯＦＤＭ信号のうち各パケットに設けられたショートトレーニングシンボルＳＴ、ロングトレーニングシンボルＬＴ等の既知シンボルを用いて各パケット毎の周波数誤差Δｆを推定し、変調側の位相回転器２３は、ＡＦＣ１３による周波数誤差推定値としての位相差Δθを用いて第２の通信機３１に向けて送信するＯＦＤＭ信号の周波数を各パケット毎にシフトさせる構成としたから、ＡＦＣ１３は、既知シンボルの相関演算等を行うことによって周波数誤差Δｆを推定することができると共に、位相回転器２３は、ＡＦＣ１３による位相差Δθだけ送信するＯＦＤＭ信号を予めシフトさせることができる。これにより、第２の通信機３１で受信したＯＦＤＭ信号には伝播路による周波数誤差Δｆが作用するから、第２の通信機３１は周波数誤差Δｆが相殺されたＯＦＤＭ信号を受信することができる。
【００４８】
また、ＯＦＤＭ信号は、各パケット毎に短時間のショートトレーニングシンボルＳＴと該ショートトレーニングシンボルＳＴの後に設けられた長時間のロングトレーニングシンボルＬＴとからなる既知シンボルを有し、ＡＦＣ１３は、ショートトレーニングシンボルＳＴを用いて周波数誤差Δｆを推定した後に、ロングトレーニングシンボルＬＴを用いて周波数誤差Δｆを推定する構成としたから、ＡＦＣ１３は、ショートトレーニングシンボルＳＴを用いて大きな周波数誤差Δｆ（位相差Δθ）を推定する粗調整を行うことができ、ロングトレーニングシンボルＬＴを用いて粗調整で残った残余の小さな周波数誤差Δｆを推定する微調整を行うことができる。
【００４９】
一方、第２の通信機３１の復調部３２は、ＯＦＤＭ信号中のショートトレーニングシンボルＳＴでは周波数誤差Δｆの推定を行わず、ロングトレーニングシンボルＬＴを用いて周波数誤差Δｆを推定する構成としている。このとき、第２の通信機３１は伝播路による周波数誤差Δｆの影響が少ないＯＦＤＭ信号を受信することができるから、第２の通信機３１の復調部３２では、ショートトレーニングシンボルＳＴを用いた粗調整を省くことができ、ロングトレーニングシンボルＬＴを用いた微調整だけで十分に周波数誤差Δｆを補正することができる。
【００５０】
なお、前記実施の形態では、第１の通信機１の復調部２と変調部１６とは別々のアンテナ３，２２を用いる構成としたが、例えばアンテナ共用器等を用いることによって復調部と変調部とで単一のアンテナを共用する構成としてもよい。
【００５１】
また、前記実施の形態では、ＡＦＣ１３を用いて周波数誤差Δｆに対応した位相差Δθを算出し、位相回転器１４，２３を用いて該位相差Δθをシフトする構成とした。しかし、本発明はこれに限らず、例えばＡＦＣ１３を用いて周波数誤差Δｆを算出し、該周波数誤差Δｆだけ可変周波数発振器９の発信信号Ｓoの周波数をシフトさせる（ずらす）構成としてもよい。この場合でも、ＯＦＤＭ信号の周波数誤差を補正、相殺することができる。
【００５２】
さらに、前記実施の形態では、ミキサ５，２０を用いて高周波信号と中間周波信号との間でダウンコンバート、アップコンバートする構成とした。しかし、本発明はこれに限らず、例えばこれらのミキサを省き、アンテナによって受信した信号を直接的に直交検波するダイレクトコンバージョンの構成としてもよい。
【図面の簡単な説明】
【００５３】
【図１】本発明の実施の形態による第１の通信機を相手方となる第２の通信機と一緒に示す全体構成図である。
【図２】図１中の第１の通信機を示す全体構成図である。
【図３】図１中の第１，第２の通信機に用いるＯＦＤＭ信号の構成を示す説明図である。
【符号の説明】
【００５４】
１  第１の通信機（ＯＦＤＭ変復調装置）
２  復調部
１１  周波数誤差処理回路
１２  トレーニングシンボル検出器
１３  ＡＦＣ（周波数誤差推定部）
１４  位相回転器（周波数誤差補正部）
１５  ＦＦＴ回路（フーリエ変換処理部）
１６  変調部
１７  ＩＦＦＴ回路
２３  位相回転器（周波数シフト部）
３１  第２の通信機（相手方）
３２  復調部
３３  変調部
【図１】
2005260705.tif 000004
【図２】
2005260705.tif 000005
【図３】
2005260705.tif 000006